(57)【要約】【課題】ユーザの携帯電話保護ケースに対する要求を満たすとともに、防塵プラグとイヤホンコードを交互に収納せねばならない。【解決手段】  本発明は、ケース本体を備え、ケース本体の背面に収納部が設けられ、収納部の先端に防塵プラグを収納するための挿入孔が設けられ、収納部の背面にイヤホンコードを収納するためのスロットが設けられる、防塵プラグを挿入可能であるとともにイヤホンコードを収納可能な携帯電話保護ケースを開示する。本構造によれば、イヤホンを用いて音楽を鑑賞するときには防塵プラグを収納部先端の挿入孔に挿入することができ、音楽を聴かないときには、防塵プラグを挿入干しから取り外してイヤホンプラグ用凹溝に挿入し、イヤホンコードをスロットに収納すればよい。【選択図】図２
2015032975.tif 000002
【特許請求の範囲】
【請求項１】
防塵プラグを挿入可能であるとともにイヤホンコードを収納可能な携帯電話保護ケースにおいて、ケース本体（１）を備え、
前記ケース本体（１）の背面に収納部（２）が設けられ、
前記収納部（２）の先端に防塵プラグを収納するための挿入孔（２１）が設けられ、
前記収納部（２）の背面にイヤホンコードを収納するためのスロット（２２）が設けられることを特徴とする防塵プラグを挿入可能であるとともにイヤホンコードを収納可能な携帯電話保護ケース。
【請求項２】
前記スロット（２２）に開口（２３）が設けられることを特徴とする請求項１に記載の防塵プラグを挿入可能であるとともにイヤホンコードを収納可能な携帯電話保護ケース。
【請求項３】
前記スロット（２２）の個数は２つであり、当該２つのスロット（２２）は上下に配列されることを特徴とする請求項１または２に記載の防塵プラグを挿入可能であるとともにイヤホンコードを収納可能な携帯電話保護ケース。
【請求項４】
前記スロット（２２）は中空の立方体形状であることを特徴とする請求項３に記載の防塵プラグを挿入可能であるとともにイヤホンコードを収納可能な携帯電話保護ケース。
【請求項５】
前記２つのスロット（２２）聞の距離は４ｍｍ〜８ｍｍであることを特徴とする請求項４に記載の防塵プラグを挿入可能であるとともにイヤホンコードを収納可能な携帯電話保護ケース。
【請求項６】
前記スロット（２２）の個数は１つで、あり、スロット（２２）の下部は上部よりもせばまるようにケース本体（１）に向かつて収束していることを特徴とする請求項１または２に記載の防塵プラグを挿入可能であるとともにイヤホンコードを収納可能な携帯電話保護ケース。
【請求項７】
前記収納部（２）は、全体として斜面が下方に配置され、上方が広く下方が狭い、直角を備えた四角錐台であることを特徴とする請求項１に記載の防塵プラグを挿入可能であるとともにイヤホンコードを収納可能な携帯電話保護ケース。
【発明の詳細な説明】
【技術分野】
【０００１】
本発明は携帯電話保護ケースに関し、特に防塵プラグを挿入可能であるとともにイヤホンコードを収納可能な携帯電話保護ケースに関する。
【背景技術】
【０００２】
携帯電話は、現代社会を象徴する最重要アイテムの一つとしてかなり普及しており、都市部では、少なくとも１人１台を所有しているとみられる。このことから、都市部のユーザは携帯電話に独自性を求めるようになっており、これに伴い、携帯電話の各種付属品も生み出されている。携帯電話保護ケースもその１つである。
【０００３】
携帯電話保護ケースは、携帯電話の外観を美化してオリジナリティを持たせるのみならず、防塵や、汚れからのガードといった機能を奏するとともに、擦過や摩耗から携帯電話を保護することも可能である。すなわち、携帯電話保護ケースは装飾と同時に携帯電話の保護も可能なことから、急速にその人気を高めている。
【０００４】
ところで、現在販売されている携帯電話の付属品は実に多種多様である。携帯電話保護ケースのほか、携帯電話用イヤホンもまた大部分のユーザにとっては必需品となっており、都市部のユーザはイヤホンを用いて携帯電話による音楽鑑賞を楽しんでいる。中には、携帯電話用防塵プラグを所持するユーザもおり、イヤホンを使用しないときには防塵プラグを挿入し、イヤホンプラグ用凹溝の露出による埃の堆積を防ぐとともに、携帯電話の美観向上も実現している。しかし、これら２つの小型付属品は、収納時の扱いに困難が伴う。
【発明の概要】
【発明が解決しようとする課題】
【０００５】
イヤホンを使用しないときにはイヤホンコードを収納し、いつでも使用可能なように便利な場所に置いておく必要がある一方で、イヤホンを使用する場合には、一時的に携帯電話用防塵プラグを収納しなければならない。このように交互に使用されるために、２つの小型付属品は紛失されることが多い。
【０００６】
また、スマートフォンの中には、イヤホンプラグ用凹溝の位置を底部に変更しているものもあるが、ユーザは防塵プラグを携帯電話の底部に配置することに馴染みがなく、これ以前に購入した防塵プラグの扱いに困っていた。
【課題を解決するための手段】
【０００７】
本発明は、技術的課題を解決するために以下の技術方案を用いる。すなわち、防塵プラグを挿入可能であるとともにイヤホンコードを収納可能な携帯電話保護ケースは、ケース本体を備え、上記ケース本体の背面に収納部が設けられ、上記収納部の先端に防塵プラグを収納するための挿入孔が設けられ上記収納部の背面にイヤホンコードを収納するためのスロットが設けられる。
【０００８】
上記技術方案の改良として、上記スロットに開口が設けられる。
【０００９】
上記技術方案として望ましくは、上記スロットの個数は２つであり、当該２つのスロットは上下に配列される。さらに、上記スロットは中空の立方体形状である。さらに、上記２つのスロット間の距離は４〜８ｍｍである。
【００１０】
上記技術方案としてさらに望ましくは、上記スロットの個数は１つで、あり、スロットの下部は上部よりもせばまるようにケース本体に向かつて収束している。さらに、上記収納部は、全体として斜面が下方に配置され、上方が広く下方が狭い、直角を備えた四角錐台である。
【発明の効果】
【００１１】
本発明は、以下の有益な効果を奏する。
【００１２】
本発明では、ケース本体の背面に収納部が設けられ、収納部の先端に防塵プラグを収納するための挿入孔が設けられ、収納部の背面にイヤホンコードを収納するためのスロットが設けられることで、イヤホンを用いて音楽を鑑賞するときには防塵プラグを収納部先端の挿入孔に挿入することができる。また、音楽を聴かないときには防塵プラグを挿入孔から取り外してイヤホンプラグ用凹溝に挿入し、イヤホンコードをスロットに収納すればよい。
【００１３】
このような構造によれば、ユーザの携帯電話保護ケースに対する要求が満たされるとともに、防塵プラグとイヤホンコードを交互に収納せねばならないとの課題が解決されるため、携帯電話保護ケースは多機能を集積し、より実用的で外観も優れたものとなる。
【００１４】
このほか、一部のスマートフォンにおいてイヤホンプラグ用凹構が携帯電話の底部に配置されることで、以前に購入した防塵プラグを使用できなくなってしまうとの課題も解決される。さらに、本発明の構造はコンパクトで、外観に優れ、コストが抑えられる。
【図面の簡単な説明】
【００１５】
【図１】図１は、本発明における実施例１の正面図である。
【図２】図２は、図１の左側面図である。
【図３】図３は、図１の右側面図である。
【図４】図４は、図１の上面図である。
【図５】図５は、図１の底面図である。
【図６】図６は、本発明における実施例２の左側面図である。
【発明を実施するための形態】
【００１６】
図１〜図６を参照して、本発明の防塵プラグを挿入可能であるとともにイヤホンコードを収納可能な携帯電話保護ケースは、ケース本体１を含む。ケース本体１は中空の直方体で、スマートフォンの外形に合致する大きさを備える。ケース本体１の正面は開放され、４本の辺部のみで携帯電話を挟着する。ケース本体１には角丸方形孔が設けられ、携帯電話のレンズ、フラッシュライト、スイッチおよび音量ボタン等を露出させるのに用いられる。
【００１７】
上記ケース本体１の背面には収納部２が設けられる。望ましくは、当該収納部２は全体として傾斜面が下方に配置され、上方が広く下方が狭い、直角を有する四角錐台として設計される。携帯電話の実際の大きさに合わせて、上記直角を有する四角錐台を長さ６０ｍｍ、上方幅１４ｍｍ、下方幅１０ｍｍとし、直角を有する四角錐台の高さ、すなわち最も厚い部分を約１０ｍｍとすることで、全体として携帯電話保護ケースの外観をすっきりと見せるとともに、実用性を実現している。
【００１８】
上記収納部２の先端には防塵プラグを収納するための挿入孔２１が開設される。イヤホンプラグの実際の大きさに合わせて、挿入孔２１の長さは１４ｍｍ、挿入孔２１の円周は３．５ｍｍとしてもよい。防塵プラグを収納する場合、防塵プラグの下部を挿入孔２１上端の差し込み口に対峙させ、力を加えて防塵プラグを挿入孔２１に挿入すれば、防塵プラグを携帯電話保護ケース内に配置することができる。
【００１９】
上記収納部２の背面には、イヤホンコード用スロット２２が設けられる。望ましくは、スロット２２には開口２３が設けられる。開口２３の大きさは、イヤホンコードをスロット２２に挟入しやすくし、かつスロット２２からのイヤホンコードの脱落を防止するために、２ｍｍ×３ｍｍとしてもよい。
【実施例１】
【００２０】
本発明の実施例１では、上記スロット２２の個数は２つであり、当該２つのスロット２２は上下に配列される。望ましくは、スロット２２は中空の立方体形状であり、２つのスロット２２聞の距離は４ｍｍ〜８ｍｍである。
【００２１】
イヤホンコードを収納する際には、まずコードの末端部または先端部の小区間を手にとる。そして、コードを第１スロット２２の開口２３から第１スロット２２に挿入し、続いて、後方における別の小区間を第２スロット２２の開口２３から第２スロット２２に挿入する。そして、さらに後方における別の小区間を第１スロット２２の開口２３から第１スロット２２に挿入する。
【００２２】
このようにして、イヤホンコード全体を２つのスロットに巻き付け終わるまでイヤホンコードを順次２つのスロット２２内に配置していくことで、携帯電話保護ケース内にイヤホンコードを収納することができる。また、スロット２２を２つ設けることで、イヤホンコードを配置するための十分なスペースが提供される。
【実施例２】
【００２３】
本発明の実施例２では、上記スロット２２の個数は１つとされる。
【００２４】
スロット２２の下部は上部よりもせばまるようにケース本体１に向かつて収束している。
【００２５】
イヤホンコードを開口２３から（開口を設けない場合には、スロット２２に直接挿通すればよい）スロット２２に挟入することで、イヤホンコードはスロット２２内で巻き回されて重畳する。
【００２６】
スロット２２の下部が上部よりもせばまるようにケース本体１に向かつて収束していることから、スロット２２の下部でイヤホンコードを挟着することができ、イヤホンコードのスロット２２からの滑落が防止される。
【００２７】
ケース本体１の背面に収納部２が設けられ、収納部２の先端に防塵プラグを収納するための挿入孔２１が設けられ、収納部２の背面にイヤホンコードを収納するためのスロット２２が設けられることで、イヤホンを用いて音楽を鑑賞するときには防塵プラグを収納部先端の挿入孔２１に挿入することができる。また、音楽を聴かないときには防塵プラグを挿入孔２１から取り外してイヤホンプラグ用凹溝に挿入し、イヤホンコードをスロット２２に収納すればよい。このような構造によれば、ユーザの携帯電話保護ケースに対する要求が満たされるとともに、防塵プラグとイヤホンコードを交互に収納せねばならないとの課題が解決されるため、携帯電話保護ケースは多機能を集積し、より実用的で美観にも優れたものとなる。
【００２８】
なお、以上は本発明における好ましい実施形態を述べたにすぎず、本発明は上記実施例に限定されるものではない。本発明の技術的効果を実現可能な同一あるいは類似の手段は、いずれも本発明の保護の範囲に包括されると解釈されるべきである。
【符号の説明】
【００２９】
１    ケース本体
２    収納部
２１挿入孔
２２    スロット
２３    開口
【図１】
2015032975.tif 000003
【図２】
2015032975.tif 000004
【図３】
2015032975.tif 000005
【図４】
2015032975.tif 000006
【図５】
2015032975.tif 000007
【図６】
2015032975.tif 000008